(57)【要約】【課題】移動局としてデュアルモードの無線端末装置を用いた場合に、異なる網を柔軟に使い分けて通信することを可能とする。【解決手段】移動局１は、携帯電話基地局３からアドレスが割り当てられたならば、移動局１の識別情報、上記割り当てられたアドレス、および携帯電話基地局３と通信を行う第１の無線機の識別情報を、また無線アクセスポイント４からアドレスが割り当てられたならば、移動局１の識別情報、上記割り当てられたアドレス、および無線アクセスポイント４と通信を行う第２の無線機の識別情報を、移動局識別情報、移動局アドレスおよび無線機識別情報として示した登録情報を作成し、ホームエージェント２へ送信する。ホームエージェント２は、登録情報に示された移動局識別情報と無線機識別情報との組合わせに対応付けて移動局アドレスを管理する。【選択図】    図１
2004297490.tif 000002
【特許請求の範囲】
【請求項１】
相互に接続された複数の異なるネットワークと、
該ネットワークのそれぞれに接続された複数の基地局と、
前記複数の基地局と通信可能な情報提供局と、
前記基地局と通信する移動通信端末と、を含む移動通信システムにおいて、
前記移動通信端末は、
前記情報提供局が該移動通信端末を識別するための第１の識別情報を持ち、
さらに前記第１の識別情報とは別に、前記基地局ごとに設けた互いに異なる第２の識別情報を持つ、前記複数の基地局のそれぞれと通信するための、複数からなる通信手段と、
前記通信手段のいずれかが前記基地局と通信可能になった場合に、前記第１の識別情報、該通信可能になった基地局に対応する前記通信手段が持つ第２の識別情報及び該基地局を介して前記移動通信端末が通信するための第３の識別情報を含む通信端末情報を作成する通信端末情報作成手段と、
前記通信端末情報を前記情報提供装置へ送信する通信端末情報送信手段とを具備し、
前記情報提供局は、
前記通信端末情報を受信する通信端末情報受信手段と、
前記通信端末情報受信手段が受信した通信端末情報に含まれる前記第１の識別情報及び前記第２の識別情報の組み合わせごとに、該第１の識別情報を含んだ第４の識別情報を生成する識別情報生成手段と、
前記第３の識別情報と、前記識別情報生成手段が生成した第４の識別情報とを対応づけて記憶する識別情報記憶手段とを具備したことを特徴とする移動通信システム。
【請求項２】
前記通信端末情報作成手段は、前記通信手段のうち、前記基地局と通信可能となった通信手段以外の通信手段が持つ第２の識別情報をさらに含む通信端末情報を作成し、
前記識別情報記憶手段は、受信した前記通信端末情報をもとに前記識別情報生成手段が生成した第４の識別情報のうち、記憶していない識別情報がある場合には、対応付ける前記第３の識別情報の有無に関わらず該第４の識別情報を記憶することを特徴とする請求項１に記載の移動通信システム。
【請求項３】
相互に接続された複数の異なるネットワークと、
該ネットワークのそれぞれに接続された複数の基地局と、
前記複数の基地局と通信可能な情報提供局と、
前記基地局と通信する移動通信端末と、を含む移動通信システムにおける前記移動通信端末として利用可能な無線端末装置において、
前記情報提供局に該移動通信端末を識別させるための第１の識別情報を持ち、さらに前記第１の識別情報とは別に、前記基地局ごとに設けた互いに異なる第２の識別情報を持つ、前記複数の基地局のそれぞれと通信するための、複数からなる通信手段と、
前記通信手段のいずれかが前記基地局と通信可能になった場合に、前記第１の識別情報、該通信可能になった基地局に対応する前記通信手段が持つ第２の識別情報及び該基地局を介して前記移動通信端末が通信するための第３の識別情報を含む通信端末情報を作成する通信端末情報作成手段と、
前記通信端末情報を前記情報提供装置へ送信する通信端末情報送信手段とを具備したことを特徴とする無線端末装置。
【請求項４】
前記通信端末情報作成手段は、前記通信手段のうち、前記基地局と通信可能となった通信手段以外の通信手段が持つ第２の識別情報をさらに含む通信端末情報を作成することを特徴とする請求項３に記載の無線端末装置。
【請求項５】
相互に接続された複数の異なるネットワークと、
該ネットワークのそれぞれに接続された複数の基地局と、
前記複数の基地局と通信可能な情報提供局と、
前記基地局と通信する移動通信端末と、を含む移動通信システムにおける前記情報提供局として利用可能な情報提供装置において、
前記移動通信端末から送信され、該移動通信端末を前記情報提供局が識別するための第１の識別情報、該移動通信端末に設けられた複数の通信手段を識別するための第２の識別情報および該移動通信端末が前記基地局の１つを介して通信するための第３の識別情報を含む通信端末情報を受信する通信端末情報受信手段と、
前記通信端末情報受信手段が受信した通信端末情報に含まれる前記第１の識別情報及び前記第２の識別情報の組み合わせごとに、該第１の識別情報を含んだ第４の識別情報を生成する識別情報生成手段と、
前記第３の識別情報と、前記識別情報生成手段が生成した第４の識別情報とを対応づけて記憶する識別情報記憶手段とを具備したことを特徴とする情報提供装置。
【請求項６】
前記識別情報記憶手段は、受信した前記通信端末情報をもとに前記識別情報生成手段が生成した第４の識別情報のうち、記憶していない識別情報がある場合には、対応付ける前記第３の識別情報の有無に関わらず該第４の識別情報を記憶することを特徴とする請求項５に記載の情報提供装置。
【請求項７】
転送先が前記第１の識別情報で示されたパケットを受信するパケット受信手段と、
受信された前記パケットに示された前記第１の識別情報を含んだ前記第４の識別情報に対応付けて前記識別情報記憶手段に記憶されている前記第３の識別情報のうちの１つを選択する選択手段と、
受信された前記パケットを、選択された前記第３の識別情報を宛先として送信するパケット送信手段とをさらに具備したことを特徴とする請求項５に記載の情報提供装置。
【請求項８】
前記移動通信端末を認証する移動通信端末認証手段と、
前記パケットの送信元を認証する送信元認証手段とをさらに備え、
かつ前記識別情報記憶手段は、前記移動通信端末認証手段が認証に失敗した前記移動通信端末から送信された前記通信端末情報に示された前記第３の識別情報は記憶せず、
前記パケット送信手段は、前記送信元認証手段が認証に成功した前記送信元から送信された前記パケットのみを送信することを特徴とする請求項７に記載の情報提供装置。
【請求項９】
前記第１の識別情報を示した問い合わせ情報を受信する問い合わせ情報受信手段と、
受信された前記問い合わせ情報に示された前記第１の識別情報を含む前記第４の識別情報に対応付けて前記識別情報記憶手段に記憶されている前記第３の識別情報を含んだ回答情報を作成する回答情報作成手段と、
前記回答情報を前記問い合わせ情報の送信元に宛てて送信する回答情報送信手段とをさらに具備したことを特徴とする請求項５に記載の情報提供装置。
【請求項１０】
前記移動通信端末を認証する移動通信端末認証手段と、
前記問い合わせ情報の送信元を認証する送信元認証手段とをさらに備え、
かつ前記識別情報記憶手段は、前記移動通信端末認証手段が認証に失敗した前記移動通信端末から送信された前記通信端末情報に示された前記第３の識別情報は記憶せず、
前記回答情報送信手段は、前記送信元認証手段が認証に成功した前記送信元に対してのみ前記回答情報を送信することを特徴とする請求項９に記載の情報提供装置。
【請求項１１】
相互に接続された複数の異なるネットワークと、
該ネットワークのそれぞれに接続された複数の基地局と、
前記複数の基地局と通信可能な情報提供局と、
前記基地局と通信する移動通信端末と、を含む移動通信システムにおける前記情報提供局として利用可能な情報提供装置としてコンピュータを機能させるプログラムにおいて、
前記コンピュータを、
前記移動通信端末から送信され、該移動通信端末を前記情報提供局が識別するための第１の識別情報、該移動通信端末に設けられた複数の通信手段を識別するための第２の識別情報および該移動通信端末が前記基地局の１つを介して通信するための第３の識別情報を含む通信端末情報を受信する通信端末情報受信手段と、
前記通信端末情報受信手段が受信した通信端末情報に含まれる前記第１の識別情報及び前記第２の識別情報の組み合わせごとに、該第１の識別情報を含んだ第４の識別情報を生成する識別情報生成手段と、
前記第３の識別情報と、前記識別情報生成手段が生成した第４の識別情報とを対応づけて記憶する識別情報記憶手段として機能させることを特徴とするプログラム。
【請求項１２】
前記識別情報記憶手段を、受信した前記通信端末情報をもとに前記識別情報生成手段が生成した第４の識別情報のうち、記憶していない識別情報がある場合には、対応付ける前記第３の識別情報の有無に関わらず該第４の識別情報を記憶するものとすることを特徴とする請求項１１に記載のプログラム。
【請求項１３】
前記コンピュータを、
転送先が前記第１の識別情報で示されたパケットを受信するパケット受信手段と、
受信された前記パケットに示された前記第１の識別情報を含んだ前記第４の識別情報に対応付けて前記識別情報記憶手段に記憶されている前記第３の識別情報のうちの１つを選択する選択手段と、
受信された前記パケットを、選択された前記第３の識別情報を宛先として送信するパケット送信手段としてさらに機能させることを特徴とする請求項１１に記載のプログラム。
【請求項１４】
前記コンピュータを、
前記移動通信端末を認証する移動通信端末認証手段と、
前記パケットの送信元を認証する送信元認証手段としてさらに機能させ、
かつ前記識別情報記憶手段を、前記移動通信端末認証手段が認証に失敗した前記移動通信端末から送信された前記通信端末情報に示された前記第３の識別情報は記憶しないものとし、
前記パケット送信手段を、前記送信元認証手段が認証に成功した前記送信元から送信された前記パケットのみを送信するものとすることを特徴とする請求項１３に記載のプログラム。
【請求項１５】
前記コンピュータを、
前記第１の識別情報を示した問い合わせ情報を受信する問い合わせ情報受信手段と、
受信された前記問い合わせ情報に示された前記第１の識別情報を含む前記第４の識別情報に対応付けて前記識別情報記憶手段に記憶されている前記第３の識別情報を含んだ回答情報を作成する回答情報作成手段と、
前記回答情報を前記問い合わせ情報の送信元に宛てて送信する回答情報送信手段としてさらに機能させることを特徴とする請求項１１に記載のプログラム。
【請求項１６】
前記コンピュータを、
前記移動通信端末を認証する移動通信端末認証手段と、
前記問い合わせ情報の送信元を認証する送信元認証手段としてさらに機能させ、
かつ前記識別情報記憶手段を、前記移動通信端末認証手段が認証に失敗した前記移動通信端末から送信された前記通信端末情報に示された前記第３の識別情報は記憶しないものとし、
前記回答情報送信手段を、前記送信元認証手段が認証に成功した前記送信元に対してのみ前記回答情報を送信するものとすることを特徴とする請求項１５に記載のプログラム。
【請求項１７】
相互に接続された複数の異なるネットワークと、
該ネットワークのそれぞれに接続された複数の基地局と、
前記複数の基地局と通信可能な情報提供局と、
前記情報提供局が該移動通信端末を識別するための第１の識別情報を持ち、さらに前記第１の識別情報とは別に、前記基地局ごとに設けた互いに異なる第２の識別情報を持つ、前記複数の基地局のそれぞれと通信するための、複数からなる通信手段を備え、前記基地局と通信する移動通信端末と、を含む移動通信システムにて前記移動通信端末を管理する移動通信端末管理方法において、
前記移動通信端末は、
前記通信手段のいずれかが前記基地局と通信可能になった場合に、前記第１の識別情報、該通信可能になった基地局に対応する前記通信手段が持つ第２の識別情報及び該基地局を介して前記移動通信端末が通信するための第３の識別情報を含む通信端末情報を作成し、
前記通信端末情報を前記情報提供装置へ送信し、
前記情報提供局は、
前記通信端末情報を受信し、
受信された前記通信端末情報に含まれる前記第１の識別情報及び前記第２の識別情報の組み合わせごとに、該第１の識別情報を含んだ第４の識別情報を生成し、
前記第３の識別情報と、前記識別情報生成手段が生成した第４の識別情報とを対応づけて記憶することを特徴とする移動通信端末管理方法。
【発明の詳細な説明】
【０００１】
【発明の属する技術分野】
本発明は、モバイル環境でのデータ通信を可能とする移動通信システム、この移動通信システムで使用される無線端末装置および情報提供装置、プログラムならびに移動通信端末管理方法に関する。
【０００２】
【従来の技術】
モバイル環境でのデータ通信を効率的に行うための技術として、モバイルＩＰが知られている（非特許文献１を参照）。
【０００３】
モバイルＩＰでは、移動局が新たなフォーリンエージェントの配下に入った場合に、新しいフォーリンエージェントのＩＰアドレスと移動局のＩＰアドレスとをホームエージェントに通知することで位置登録を行う。そして移動局宛のパケットは、ホームエージェントからフォーリンエージェントへ送られ、さらにフォーリンエージェントから移動局へと送られる。
【０００４】
ところで、このモバイルＩＰを実現するための無線インフラとしては、ＩＥＥＥ  ８０２．１１ｂに準拠した無線ＬＡＮや、携帯電話網などが利用できる。無線ＬＡＮは、帯域が大きいのに対して、基地局がカバーするエリアは小さい。反対に携帯電話網は、基地局がカバーするエリアが大きいのに対して、帯域が小さい。
【０００５】
このようなことから、無線ＬＡＮに対応する無線機と、携帯電話網に対応する無線機との双方を備えたデュアルモード端末装置を移動局として使用することにより、それぞれの網の特徴を使い分けて効率の良い通信を行うことが可能となる。
【０００６】
【非特許文献１】
Ｔｈｅ  Ｉｎｔｅｒｎｅｔ  Ｅｎｇｉｎｅｅｒｉｎｇ  Ｔａｓｋ  Ｆｏｒｃｅ、”ＩＰ  Ｍｏｂｉｌｉｔｙ  Ｓｕｐｐｏｒｔ  （ＲＦＣ２００２）”、［ｏｎｌｉｎｅ］、平成１５年３月２４日検索、インターネット＜  ＵＲＬ：  ｈｔｔｐ：／／ｗｗｗ．ｉｅｔｆ．ｏｒｇ／ｒｆｃ／ｒｆｃ２００２．ｔｘｔ？ｎｕｍｂｅｒ＝２００２＞
【０００７】
【発明が解決しようとする課題】
ところが、無線ＬＡＮと携帯電話網とは別々の網であるから、エージェントはそれぞれ異なることとなる。
【０００８】
従って、無線ＬＡＮおよび携帯電話網のいずれでも通信できる場所に移動局が位置していたとしても、上記のモバイルＩＰによると、いずれか一方の網のエージェントのＩＰアドレスで位置登録をしなければならない。そして、使用することができる網は、上記の位置登録に用いたＩＰアドレスを持ったエージェントが属する網のみに固定されてしまうことになる。
【０００９】
このように、モバイルＩＰでは、異なる網を柔軟に使い分けて通信することが困難であった。
【００１０】
本発明はこのような事情を考慮してなされたものであり、移動局としてデュアルモードの無線通信端末を用いた場合に、異なる網を柔軟に使い分けて通信することを可能とすることにある。
【００１１】
【課題を解決するための手段】
以上の目的を達成するために本発明は、相互に接続された複数の異なるネットワークと、該ネットワークのそれぞれに接続された複数の基地局と、前記複数の基地局と通信可能な情報提供局と、前記基地局と通信する移動通信端末と、を含む移動通信システムにおいて、前記移動通信端末に、前記情報提供局が該移動通信端末を識別するための第１の識別情報を持たせる。さらに前記移動通信端末に、前記第１の識別情報とは別に、前記基地局ごとに設けた互いに異なる第２の識別情報を持つ、前記複数の基地局のそれぞれと通信するための、複数からなる通信手段を備える。前記移動通信端末は、前記通信手段のいずれかが前記基地局と通信可能になった場合に、前記第１の識別情報、該通信可能になった基地局に対応する前記通信手段が持つ第２の識別情報及び該基地局を介して前記移動通信端末が通信するための第３の識別情報を含む通信端末情報を作成し、該通信端末情報を前記情報提供装置へ送信する。
【００１２】
前記情報提供局は、前記通信端末情報を受信する。前記情報提供局は、受信した前記通信端末情報に含まれる前記第１の識別情報及び前記第２の識別情報の組み合わせごとに、該第１の識別情報を含んだ第４の識別情報を生成する。そして情報提供局は、前記第３の識別情報と、生成した前記第４の識別情報とを対応づけて記憶することとした。
【００１３】
このような手段を講じたことにより、移動通信端末においては、通信手段のいずれかが基地局と通信可能となった場合には、移動通信端末が持つ第１の識別情報、通信可能になった通信手段が持つ第２の識別情報及び通信可能となった基地局を介して前記移動通信端末が通信するための第３の識別情報を含む通信端末情報が作成され、この通信端末情報が情報提供局へ送信される。情報提供局においては、上記の通信端末情報が受信され、この通信端末情報に含まれた第１の識別情報および第２の識別情報の組合わせ毎に、上記第１の識別情報を含んだ第４の識別情報が生成され、上記通信端末情報に含まれた第３の識別情報が上記第４の識別情報と対応付けて記憶される。従って、情報提供局においては、１つの移動通信端末に備えられた複数の通信手段のそれぞれに対応付けて第３の識別情報が個別に管理されることになる。この結果、情報提供局においては、複数の基地局のそれぞれを介して通信するために１つの移動通信端末に割り当てられた複数の第３の識別情報が個別に管理されることとなる。
【００１４】
【発明の実施の形態】
以下、図面を参照して本発明の一実施形態につき説明する。
図１は本実施形態に係る移動通信システムの構成を示すブロック図である。  この図１に示す移動通信システムは、移動局１、ホームエージェント２、無線アクセスポイント４および携帯電話基地局３を含む。無線アクセスポイント４はＬＡＮ（Ｌｏｃａｌ  Ａｒｅａ  Ｎｅｔｗｏｒｋ）６に接続されていて、このＬＡＮ６を用いて構築された移動通信網に属する。携帯電話基地局３は、例えばＰＤＣ（Ｐｅｒｓｏｎａｌ  Ｄｉｇｉｔａｌ  Ｃｅｌｌｕｌａｒ）方式などの携帯電話網５に接続されている。ホームエージェント２は、インターネット７を介してＬＡＮおよび携帯電話網５に接続可能である。
【００１５】
移動局１は、無線アクセスポイント４または携帯電話基地局３を介して、インターネット７にアクセスする機能を備える。移動局１は、ホームエージェント２により管理されるネットワークをホームネットワークとする。移動局１には、ホームネットワークに属する移動局に個別に割り当てられたホームアドレスを持つ。
【００１６】
ホームエージェント２は、移動局１の位置管理や移動局１を転送先とするパケットの転送処理などを行う。
【００１７】
携帯電話基地局３は、例えばＰＤＣ方式に準拠した周知のものであり、移動局１と無線通信を行うことで、移動局１を携帯電話網５やインターネット７に接続する。
【００１８】
無線アクセスポイント４は、例えばＩＥＥＥ  ８０２．１１ｂに準拠した周知のものであり、移動局１と無線通信を行うことで、移動局１をＬＡＮ６やインターネット７に接続する。
【００１９】
図２は移動局１として利用可能な無線端末装置１１の構成を示すブロック図である。
この図２に示す無線端末装置１１は、第１の無線機１１ａ、第２の無線機１１ｂ、無線機制御部１１ｃ、端末制御部１１ｄ、第１の作成部１１ｅ、第１の送信部１１ｆ、第２の作成部１１ｇおよび第２の送信部１１ｈを含む。
【００２０】
第１の無線機１１ａは、携帯電話基地局３と無線通信する。第２の無線機１１ｂは、無線アクセスポイント４と無線通信する。無線機制御部１１ｃは、第１の無線機１１ａおよび第２の無線機１１ｂを使い分けるべく第１の無線機１１ａおよび第２の無線機１１ｂを制御する。端末制御部１１ｄは、第１の無線機１１ａまたは第２の無線機１１ｂを利用して、インターネット７へのアクセスなどの通信処理を行う。
【００２１】
第１の作成手段１１ｅは、第１の無線機１１ａにより受信された通知情報を取得する。第１の作成手段１１ｅは、通知情報が取得できた場合に、移動局識別情報、無線機識別情報、移動局アドレス、付加情報および別無線機情報を示した登録情報を作成する。第１の送信部１１ｆは、第１の作成部１１ｅが作成した登録情報をホームエージェント２へと送信するべく、第１の無線機１１ａの制御などを行う。
【００２２】
第２の作成手段１１ｇは、第２の無線機１１ｂにより受信された通知情報を取得する。第２の作成手段１１ｇは、通知情報が取得できた場合に、移動局識別情報、無線機識別情報、移動局アドレス、付加情報および別無線機情報を示した登録情報を作成する。第２の送信部１１ｈは、第２の作成部１１ｇが作成した登録情報をホームエージェント２へと送信するべく、第２の無線機１１ｂの制御などを行う。
【００２３】
図３はホームエージェント２として利用可能なホームエージェント装置２１の構成を示すブロック図である。
この図３に示すホームエージェント装置２１は、ネットワークインタフェース２１ａ、移動局認証部２１ｂ、登録情報受信部２１ｃ、移動局情報書き込み部２１ｄ、移動局情報テーブル２１ｅ、要求元認証部２１ｆ、パケット受信部２１ｇ、アドレス取得部２１ｈ、アドレス取得部２１ｈ、問い合わせ情報受信部２１ｊ、回答情報作成部２１ｋおよび回答情報送信部２１ｍを含む。
【００２４】
なお、このホームエージェント装置２１は、例えば汎用のサーバ装置を基本ハードウェアとして用いることができる。そして移動局認証部２１ｂ、登録情報受信部２１ｃ、移動局情報書き込み部２１ｄ、要求元認証部２１ｆ、パケット受信部２１ｇ、アドレス取得部２１ｈ、アドレス取得部２１ｈ、問い合わせ情報受信部２１ｊ、回答情報作成部２１ｋおよび回答情報送信部２１ｍは、上記のサーバ装置に搭載されたプロセッサにプログラムを実行させることにより実現することができる。このときにホームエージェント装置２１は、上記のプログラムをサーバ装置に予めインストールされて実現されても良いし、ＣＤ−ＲＯＭなどのようなリムーバブルな記録媒体に記録して、あるいはネットワークを介して上記のプログラムを配布し、このプログラムをサーバ装置に適宜インストールして実現されても良い。移動局情報テーブル２１ｅは、上記のコンピュータ装置に内蔵されたメモリやハードディスク装置などの記憶デバイス、上記のコンピュータ装置に外付けされたメモリやハードディスク装置などの記憶デバイス、さらにはフロッピー（Ｒ）ディスクなどのようなリムーバブルな記録媒体などを適宜利用して実現することができる。
【００２５】
ネットワークインタフェース２１ａは、インターネット７に接続される。ネットワークインタフェース２１ａは、インターネット７を介しての通信を行う。
【００２６】
移動局認証部２１ｂは、位置登録を許容するか否かを決定するための移動局の認証を例えば周知の手法を用いて行う。移動局認証部２１ｂは、認証結果を登録情報受信部２１ｃへ出力する。
【００２７】
登録情報受信部２１ｃは、移動局から送信された登録情報がインターネット７を介して到来した場合に、ネットワークインタフェースの出力信号から上記の登録情報を受信する。登録情報受信部２１ｃは、受信した登録情報の送信元の移動局が移動局認証部２１ｂにより認証済みである場合に、上記の登録情報を移動局情報書き込み部２１ｄへ出力する。
【００２８】
移動局情報書き込み部２１ｄは、登録情報受信部２１ｃから出力された登録情報に示された各種情報を必要に応じて移動局情報テーブル２１ｅに書き込む。
【００２９】
移動局情報テーブル２１ｅは、図４に示すように、移動局識別情報と無線機識別情報との組合わせに対応付けて、移動局アドレスと付加情報とを記述する。
【００３０】
要求元認証部２１ｆは、パケットの転送要求を行うか否かおよび問い合わせに対して回答するか否かを決定するための端末の認証を例えば周知の手法を用いて行う。要求元認証部２１ｆは、認証結果をパケット送信部２１ｉおよび回答情報送信部２１ｍへ出力する。
【００３１】
パケット受信部２１ｇは、インターネット７を介して転送されてきたホームエージェント２宛のパケットを受信する。このパケットは、移動局識別情報を転送先として示したものである。パケット受信部２１ｇは、受信したパケットの送信元が要求元認証部２１ｆにより認証済みである場合にのみ、受信したパケットをアドレス取得部２１ｈおよびパケット送信部２１ｉに出力する。
【００３２】
アドレス取得部２１ｈは、パケット受信部２１ｇから出力されたパケットに転送先として示された移動局識別情報に対応する移動局アドレスを移動局情報テーブル２１ｅから取得する。アドレス取得部２１ｈは、取得した移動局アドレスをアドレス取得部２１ｈへ出力する。
【００３３】
アドレス取得部２１ｈは、パケット受信部２１ｇから出力されたパケットを、アドレス取得部２１ｈから出力された移動局アドレスを送信先としてインターネット７へ送信する。
【００３４】
問い合わせ情報受信部２１ｊは、インターネットを介して転送されてきた問い合わせ情報を受信する。この問い合わせ情報は、例えばホスト端末８から送信されるもので、移動局識別情報が示される。問い合わせ情報受信部２１ｊは、問い合わせ情報の送信元が要求元認証部２１ｆにより認証済みである場合にのみ、問い合わせ情報を回答情報作成部２１ｋに出力する。
【００３５】
回答情報作成部２１ｋは、問い合わせ情報受信部２１ｊから出力された問い合わせ情報に示された移動局識別情報に対応付けられた情報を移動局情報テーブル２１ｅから取得し、この取得した情報を示す解答情報を作成する。回答情報作成部２１ｋは、回答情報を回答情報送信部２１ｍへ出力する。
【００３６】
回答情報送信部２１ｍは、回答情報作成部２１ｋから出力された回答情報を、問い合わせ情報の送信元に宛ててインターネット７へと送信する。
【００３７】
次に以上のように構成された移動通信システムの動作につき説明する。
【００３８】
移動局１において第１の無線機１１ａが携帯電話基地局３と通信できない状態から通信可能となった場合、移動局１は携帯電話基地局３のエリア内に入ったことを認識し、携帯電話基地局３に対してアドレスの割り当てを要求する。
【００３９】
携帯電話基地局３は、インターネット７を介して通信を行うためのアドレスを複数持っている。携帯電話基地局３は、移動局１からの要求に応じて、他の移動局に割り当てていないアドレスを選択し、このアドレスを移動局１に割り当てる。そして携帯電話基地局３は、割り当てたアドレスを示した通知情報を移動局１へ送信する。
【００４０】
移動局１では、携帯電話基地局３が送信した信号を第１の無線機１１ａにより受信する。そして第１の無線機１１ａが出力する信号の中から、上記の通知情報を第１の作成部１１ｅが抽出する。第１の作成部１１ｅは、無線端末装置１１に割り当てられているホームアドレスを移動局識別情報として示し、第１の無線機１１ａに割り当てられているＭＡＣアドレスを無線機識別情報として示し、上記通知情報に示されたアドレスを移動局アドレスとして示し、付加情報としては第１の無線機１１ａの種別情報（例えば「ＰＤＣパケット」を示す情報）などの無線機１１ａの特性を示す情報を示し、第２の無線機１１ｂに割り当てられたＭＡＣアドレスや第２の無線機１１ｂに関する付加情報を別無線機情報として示した登録情報を生成する。そしてこの登録情報を、第１の送信部１１ｆがホームエージェント２に宛ててインターネット７へと送信する。
【００４１】
一方、第２の無線機１１ｂが無線アクセスポイント４と通信できない状態から通信可能となった場合に、移動局１は無線アクセスポイント４のエリア内に入ったことを認識し、無線アクセスポイント４に対してアドレスの割り当てを要求する。
【００４２】
無線アクセスポイント４は、インターネット７を介して通信を行うためのアドレスを複数持っている。無線アクセスポイント４は、移動局１からの要求に応じて、他の移動局に割り当てていないアドレスを選択し、このアドレスを移動局１に割り当てる。そして無線アクセスポイント４は、割り当てたアドレスを示した通知情報を移動局１へ送信する。
【００４３】
移動局１では、無線アクセスポイント４が送信した信号を第２の無線機１１ｂにより受信する。そして第２の無線機１１ｂが出力する信号の中から、上記の通知情報を第２の作成部１１ｇが抽出する。第２の作成部１１ｇは、無線端末装置１１に割り当てられているホームアドレスを移動局識別情報として示し、第２の無線機１１ｂに割り当てられているＭＡＣアドレスを無線機識別情報として示し、上記通知情報に示されたアドレスを移動局アドレスとして示し、付加情報としては第２の無線機１１ｂの種別情報（例えば「８０２．１１ｂ」を示す情報）などの無線機１１ｂの特性を示す情報を示し、第１の無線機１１ａに割り当てられたＭＡＣアドレスや第１の無線機１１ａに関する付加情報を別無線機情報としてた登録情報を生成する。そしてこの登録情報を、第２の送信部１１ｈがホームエージェント２に宛ててインターネット７へと送信する。
【００４４】
ホームエージェント２は、上述のように移動局１から送信された登録情報がインターネット７を介して到来したならば、図５に示すような位置登録処理を実行する。
【００４５】
ステップＳＴ１においては登録情報受信部２１ｃが、登録情報を受信する。ステップＳＴ２においては登録情報受信部２１ｃが、登録情報を送信した移動局１が移動局認証部２１ｂにて認証済みであるか否かを確認する。
【００４６】
認証済みであった場合には、ステップＳＴ３に進む。ステップＳＴ３においては移動局情報書き込み部２１ｄが、上記の登録情報に示された移動局識別情報と無線機識別情報との組合わせを移動局情報テーブル２１ｅから探索する。ステップＳＴ４においては移動局情報書き込み部２１ｄが、該当する識別情報の組合わせが見つかったか否かを確認する。
【００４７】
該当する識別情報の組合わせが見つからなかった場合には、ステップＳＴ５に進む。ステップＳＴ５においては移動局情報書き込み部２１ｄが、上記の移動局識別情報と無線機識別情報とを移動局情報テーブル２１ｅに書き込む。この後、ステップＳＴ６に進む。該当する識別情報の組合わせが見つからなかった場合には、ステップＳＴ４からステップＳＴ６に進む。ステップＳＴ６においては移動局情報書き込み部２１ｄが、上記の識別情報の組合わせに対応付けられて移動局情報テーブル２１ｅに記憶されている移動局アドレスおよび付加情報を上記の登録情報に示された移動局アドレスおよび付加情報に更新する。
【００４８】
具体的には、登録情報に、移動局識別情報、無線機識別情報、移動局アドレスおよび付加情報として「１００」、「Ａ」、「Ａ１」および「ＰＤＣパケット，…」なる情報がそれぞれ示されており、かつ移動局識別情報「１００」と無線機識別情報「Ａ」との組合わせが移動局情報テーブル２１ｅにまだ登録されていない場合には、図６に示すような新たなデータレコードが移動局情報テーブル２１ｅに追加される。なお、移動局識別情報「１００」と無線機識別情報「Ａ」との組合わせが移動局情報テーブル２１ｅに既に登録されていた場合には、移動局アドレスおよび付加情報のみが更新される。
【００４９】
ステップＳＴ７においては移動局情報書き込み部２１ｄが、上記登録情報に別無線機情報が示されているか否かを確認する。もし、別無線機情報が有ったならば、ステップＳＴ７に進む。ステップＳＴ７においては移動局情報書き込み部２１ｄが、上記別無線機情報を登録情報に示された移動局識別情報に対応付けて移動局情報テーブル２１ｅへ書き込む。
【００５０】
具体的には、別無線機情報に無線機識別情報および付加情報として「Ｂ」および「８０２．１１ｂ，…」なる情報が示されている場合には、図６の状態から図７の状態へと移動局情報テーブル２１ｅが更新される。この図７に示した情報によれば、移動局識別情報が「１００」である移動局は、無線機識別情報がそれぞれ「Ａ」および「Ｂ」である２つの無線機を備え、それらの無線機がそれぞれどのよな状態であるかを管理することが可能となる。ただしこのときには、無線機識別情報が「Ｂ」である無線機に関しては対応する移動局アドレスがまだ通知されていないので、当該移動局アドレスは登録されていない。
【００５１】
そして、移動局情報書き込み部２１ｄが別無線機情報を書き込み終えたならば、これをもってホームエージェント２は位置登録処理を終了する。
【００５２】
なお、登録情報に別無線機情報が示されていない場合、あるいは登録情報の送信元の移動局が未認証であった場合には、ホームエージェント２はステップＳＴ７またはステップＳＴ２から位置登録処理を終了する。
【００５３】
移動局情報テーブル２１ｅが図７に示した状態にあるときに、移動局識別子が「１００」である移動局の無線機識別子が「Ｂ」である無線機に対応する移動局アドレスを登録するための登録情報が別途送られてきた場合にはホームエージェント２は上記の位置登録処理を再度行う。そしてこの結果、登録情報に移動局アドレスとして「Ｂ２」が示されていたとすると、移動局情報テーブル２１ｅは図８に示す状態に更新される。そしてこの図８に示した情報によれば、移動局識別情報が「１００」である移動局は、「Ａ２」および「Ｂ２」なる２つの移動局アドレスが利用可能であることを管理することが可能となる。
【００５４】
さて、ホスト端末８が移動局１に対してパケットを送りたい場合、ホスト端末８は移動局１の移動局識別情報を転送先として示したパケットをホームエージェント２に宛ててインターネット７へと送信する。このようなパケットがインターネット７を介して到来したならばホームエージェント２は、図９に示すようなパケット転送処理を実行する。
【００５５】
ステップＳＴ１１においてはパケット受信部２１ｇが、上記のパケットを受信する。ステップＳＴ１２においてはパケット受信部２１ｇが、上記のパケットの送信元が要求元認証部２１ｆにより認証済みであるか否かを確認する。そして、送信元が認証済みであるならば、ステップＳＴ１３に進む。
【００５６】
ステップＳＴ１３においてはアドレス取得部２１ｈが、上記のパケットに転送先として示された移動局識別情報に対応する移動局アドレスを移動局情報テーブル２１ｅから探索する。ステップＳＴ１４においてはアドレス取得部２１ｈが、該当する移動局アドレスが見つかったか否かを確認する。
【００５７】
該当する移動局アドレスが見つかったならば、ステップＳＴ１５に進む。ステップＳＴ１５においてはアドレス取得部２１ｈが、該当する移動局アドレスが複数であったか否かを確認する。もし、該当する移動局アドレスが複数であった場合には、ステップＳＴ１６に進む。これに対して、該当する移動局アドレスが１つのみであった場合には、ステップＳＴ１７に進む。
【００５８】
ステップＳＴ１６においてはアドレス取得部２１ｈが、見つかった複数の移動局アドレスのうちの適切な１つを上記パケットの内容や付加情報を考慮して選択する。なお、ここで移動局アドレスを選択するための規則は、例えばホームエージェント２の運用者が任意に定めておけばよい。ステップＳＴ１７においてはアドレス取得部２１ｈが、見つかった１つの移動局アドレスを選択する。
【００５９】
ステップＳＴ１８においてはパケット送信部２１ｉが、ステップＳＴ１１にて受信されたパケットをステップＳＴ１６またはステップＳＴ１７にて選択された移動局アドレスでトンネル化したパケットを作成し、このパケットをインターネット７へ送信する。
【００６０】
そしてパケットの送信が完了したならば、ホームエージェント２はパケット転送処理を終了する。また、ステップＳＴ１２にて送信元が未認証であることをパケット受信部２１ｇが確認した場合、あるいはステップＳＴ１４にて該当する移動局アドレスが見つからなかったことをアドレス取得部２１ｈが確認した場合、ホームエージェント２はステップＳＴ１８を行うことなくパケット転送処理を終了する。
【００６１】
ところで、ホスト端末８が移動局１に対してパケットを送りたい場合、ホスト端末８は移動局１の移動局アドレスをホームエージェント２から取得して、パケットをホームエージェント２を介さずに送ることもできる。
【００６２】
移動局１の移動局アドレスを知りたい場合にホスト端末８が、移動局１の移動局識別情報を示した問い合わせ情報をホームエージェント２に宛てて送信する。このような問い合わせ情報がインターネット７を介して到来したならばホームエージェント２は、図１０に示すような回答処理を実行する。
【００６３】
ステップＳＴ２１においては問い合わせ情報受信部２１ｊが、上記の問い合わせ情報を受信する。ステップＳＴ２２においては問い合わせ情報受信部２１ｊが、上記の問い合わせ情報の送信元が要求元認証部２１ｆにより認証済みであるか否かを確認する。そして、送信元が認証済みであるならば、ステップＳＴ２３に進む。
【００６４】
ステップＳＴ２３においては回答情報作成部２１ｋが、上記の問い合わせ情報に示された移動局識別情報に対応する移動局アドレスを移動局情報テーブル２１ｅから探索する。ステップＳＴ２４においては回答情報作成部２１ｋが、該当する移動局アドレスが見つかったか否かを確認する。
【００６５】
該当する移動局アドレスが見つかったならば、ステップＳＴ３５に進む。ステップＳＴ２５においては回答情報作成部２１ｋが、該当する全ての移動局アドレスと、この移動局アドレスに対応する付加情報を移動局情報テーブル２１ｅから取得する。ステップＳＴ２６においては回答情報作成部２１ｋが、上記の取得した移動局アドレスと付加情報とを示した回答情報を作成する。なおこのとき、付加情報をそのまま回答情報に示しても良いし、回答情報に含まれる特定の情報のみを回答情報に示しても良い。ステップＳＴ２７においては回答情報送信部２１ｍが、上記の作成された回答情報を問い合わせ情報の送信元に宛ててインターネット７へ送信する。
【００６６】
そして、回答情報の送信が完了したならば、ホームエージェント２は回答呂利を終了する。また、ステップＳＴ２２にて送信元が未認証であることを問い合わせ情報受信部２１ｊが確認した場合、あるいはステップＳＴ２４にて該当する移動局アドレスが見つからなかったことを回答情報作成部２１ｋが確認した場合、ホームエージェント２はステップＳＴ２７を行うことなく回答処理を終了する。
【００６７】
かくして、移動局１が携帯電話基地局３および無線アクセスポイント４のいずれとも通信することができる状況にあるときには、ホームエージェント２には移動局１の移動局識別子に対応付けて２つの移動局アドレスが登録されている。そして、移動局１を転送先として示したパケットがホスト端末８から送出されたならば、上記の２つの移動局アドレスのうちの１つが選択され、その移動局アドレスに宛てて上記パケットが転送される。上記の２つの移動局アドレスは、一方は携帯電話基地局３に割り当てられたアドレスであり、他方は無線アクセスポイント４に割り当てられたアドレスである。従って、携帯電話基地局３に割り当てられたアドレスに相当する移動局アドレスが選択されたならば、パケットは携帯電話基地局３へと転送され、さらに携帯電話基地局３から移動局１へと送信されることになる。これに対して無線アクセスポイント４に割り当てられたアドレスに相当する移動局アドレスが選択されたならば、パケットは無線アクセスポイント４に転送され、さらに無線アクセスポイント４から移動局１へと送信されることになる。このように、２つの経路が適宜選択されたパケットの転送が行われるのであり、移動局１がデュアルモード端末であることの利点を有効に利用することが可能である。
【００６８】
一方、例えばホスト端末において、ホームエージェント２から送られた回答状法に基づいて移動局アドレスを適宜に選択してパケットの送信を行うことによって、上述のパケット転送の場合と同様に２つの経路が適宜選択されたパケットの転送が行われるのであり、移動局１がデュアルモード端末であることの利点を有効に利用することが可能である。
【００６９】
また本実施形態によれば、ホームエージェント２は、移動局１が未認証である場合には、この移動局１から送信された登録情報に基づいては移動局情報テーブル２１ｅへの移動局アドレスの書き込みを行わない。また、パケットや問い合わせ情報の送信元が未認証である場合には、パケットの転送や回答情報の送信を行わない。従って、ホームエージェント２に登録された移動局アドレスを利用してのパケット送信は、ホームエージェント２が認証した端末どうしの間でしか行うことができない。従って、端末どうしが直接的に認証処理を行わなくても、セキュリティーを高めることが可能となる。
【００７０】
この実施形態は、次のような種々の変形実施が可能である。
例えば、回答情報に、移動局１との通信を行うための暗号鍵情報を含むセキュリティアソシエーションと呼ばれるセキュリティ情報を含め、ホスト端末８がこのセキュリティ情報に基づいて処理したパケットを送信するようにしてもよい。このようにすれば、安全に通信ができる。
【００７１】
第１の無線機１１ａが携帯電話基地局３と通信可能であるときには全ての登録情報を第１の無線機１１ａから携帯電話網５を介してホームエージェント２に送るようにするなどのように、登録情報の送信形態は任意に変更が可能である。
【００７２】
移動局識別情報としては、例えば携帯電話番号などのような別の識別情報を用いることも可能である。無線機識別情報としては、例えば無線端末装置毎に無線機に付与した無線機番号などのような別の識別情報を用いることも可能である。
【００７３】
移動局アドレスは、固定的に割り当てられていても良い。この場合、移動局１が通信可能である基地局の識別情報をホームエージェント２が認識している必要が、この識別情報をホームエージェント２に通知する機能は移動局１および基地局のいずれに持たせても良い。
【００７４】
登録情報には、別無線機情報は含ませないようにしても良い。
【００７５】
基地局としては、ＰＨＳ（Ｐｅｒｓｏｎａｌ  Ｈａｎｄｙｐｈｏｎｅ  Ｓｙｓｔｅｍ）の親局などのような別の種類のものが適用されても良い。
【００７６】
移動局１は、３種類以上の基地局と通信可能な構成であっても良い。
【００７７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００７８】
【発明の効果】
本発明によれば、デュアルモードの無線端末装置が各モードで利用できる第３の識別情報を情報提供局にて個別に管理できるので、この情報提供局にて管理された第３の識別情報を利用することで、移動通信端末としてデュアルモードの無線端末装置を用いた場合に、異なる網を柔軟に使い分けて通信することが可能となる。
【図面の簡単な説明】
【図１】本発明の一実施形態に係る移動通信システムの構成を示すブロック図。
【図２】図１中の移動局１として利用可能な無線端末装置１１の構成を示すブロック図。
【図３】図１中のホームエージェント２として利用可能なホームエージェント装置２１の構成を示すブロック図。
【図４】移動局情報テーブル２１ｅを示す図。
【図５】位置登録処理のフローチャート。
【図６】移動局情報テーブル２１ｅの更新例を示す図。
【図７】移動局情報テーブル２１ｅの更新例を示す図。
【図８】移動局情報テーブル２１ｅの更新例を示す図。
【図９】パケット転送処理のフローチャート。
【図１０】回答処理のフローチャート。
【符号の説明】
１…移動局、２…ホームエージェント、３…携帯電話基地局、４…無線アクセスポイント、５…携帯電話網、７…インターネット、８…ホスト端末、１１…無線端末装置、１１ａ…第１の無線機、１１ｂ…第２の無線機、１１ｃ…無線機制御部、１１ｄ…端末制御部、１１ｅ…第１の作成手段、１１ｆ…第１の送信部、１１ｇ…第２の作成手段、１１ｈ…第２の送信部、２１…ホームエージェント装置、２１ａ…ネットワークインタフェース、２１ｂ…移動局認証部、２１ｃ…登録情報受信部、２１ｄ…移動局情報書き込み部、２１ｅ…移動局情報テーブル、２１ｆ…要求元認証部、２１ｇ…パケット受信部、２１ｈ…アドレス取得部、２１ｉ…パケット送信部、２１ｊ…問い合わせ情報受信部、２１ｋ…回答情報作成部、２１ｍ…回答情報送信部。
【図１】
2004297490.tif 000003
【図２】
2004297490.tif 000004
【図３】
2004297490.tif 000005
【図４】
2004297490.tif 000006
【図５】
2004297490.tif 000007
【図６】
2004297490.tif 000008
【図７】
2004297490.tif 000009
【図８】
2004297490.tif 000010
【図９】
2004297490.tif 000011
【図１０】
2004297490.tif 000012